(57)【要約】      （修正有）【課題】消費者に対して独特の質感や風合いを与えることができるとともに、直接印字が可能な包装材および包装体を提供する。【解決手段】被収容物を収容する容器本体を包装するための包装材１は、加熱により発色可能な感熱フィルム６と和紙５とを備え、感熱フィルム６と和紙５とが部分的に重なった状態で接合して形成されている。感熱フィルム６および和紙５の少なくとも一部が露出している。感熱フィルム６は透明である。包装体は、包装材１によって容器本体が包装されている。【選択図】図４
0003224255.tif 000002
【実用新案登録請求の範囲】
【請求項１】
被収容物を収容する容器本体を包装するための包装材において、
加熱により発色可能な感熱記録体と、
和紙および金属シートのうち少なくとも一方の材料とを備え、
前記感熱記録体と前記材料とが部分的に重なった状態で接合して形成されている、包装材。
【請求項２】
前記材料の少なくとも一部が露出するように、前記材料と前記感熱記録体とが部分的に重なった状態で接合して形成されている、請求項１に記載の包装材。
【請求項３】
前記感熱記録体は、感熱フィルムである、請求項２に記載の包装材。
【請求項４】
前記感熱フィルムは、透明である、請求項３に記載の包装材。
【請求項５】
請求項１〜４のいずれか１項に記載の包装材によって前記容器本体が包装されている、包装体。
【請求項６】
前記容器本体の開口を閉塞する蓋体をさらに備え、
前記容器本体と前記蓋体とが前記包装材によって密封されている、請求項５に記載の包装体。
【請求項７】
前記材料が前記容器本体側に配置されるように、前記包装材によって前記容器本体が包装されている、請求項６に記載の包装体。
【請求項８】
前記感熱記録体が前記容器本体側に配置されるように、前記包装材によって前記容器本体が包装されている、請求項６に記載の包装体。
【考案の詳細な説明】
【技術分野】
【０００１】
本考案は、食品等の被収容物を収容する容器本体を包装するための包装材、および、該包装材によって包装された包装体に関する。
【背景技術】
【０００２】
従来、コンビニエンスストアやスーパーマーケット等で販売される弁当、惣菜、麺類その他各種の食品は、樹脂製の容器本体に収容され、容器本体の上から透明な蓋体が被せられ、容器本体と蓋体とを密着させた状態で帯状の包装材によって包装されている（たとえば、特許文献１参照）。
【０００３】
上記特許文献１に記載の包装材は、所定の温度において収縮変形する熱収縮性フィルムと、熱収縮性フィルムの収縮温度において変形しない感熱フィルムとを接合して形成されている。感熱フィルムは容器本体に収容される食品に関する情報を加熱により直接印字できるようになっており、熱収縮性フィルムを収縮させても感熱フィルムに印字された情報が視認できるようになっている。 
【先行技術文献】
【特許文献】
【０００４】
【特許文献１】特開２０１６−７４４８０号公報
【考案の概要】
【考案が解決しようとする課題】
【０００５】
上記のような包装材については、消費者に対して商品の特徴や高級感を醸し出すために独特の質感や風合いを与えることのできる和紙等の材料と、食品の情報を直接印字できる感熱フィルムのような感熱記録体とを組み合わせた包装材が考えられる。
【０００６】
しかしながら、上記のように、和紙と感熱記録体とを組み合わせた包装材の一例としては、たとえば、感熱記録体を構成するための塗液を和紙に塗工した包装材が考えられるが、和紙調が失われるという不都合がある。他の例としては、たとえば、透明樹脂を基材とした透明性のある感熱記録体を和紙の表面に接着することにより得られる包装材が考えられるが、接着されることにより和紙調が失われる蓋然性が高い。
【０００７】
本考案は、このような実情に着目してなされたものであって、消費者に対して独特の質感や風合いを与えることができるとともに、直接印字が可能な包装材および包装体を提供することを目的とする。 
【課題を解決するための手段】
【０００８】
上記目的を達成するために、本考案は、次のように構成されている。
【０００９】
（１）本考案の包装材は、被収容物を収容する容器本体を包装するための包装材において、加熱により発色可能な感熱記録体と、和紙および金属シートのうち少なくとも一方の材料とを備え、前記感熱記録体と前記材料とが部分的に重なった状態で接合して形成されている。
【００１０】
上記構成によると、感熱記録体と材料とが重なっていない部分に、和紙や金属シートの素材そのものの独特の質感や風合いを残すことができ、たとえば、和紙であれば和紙調を消費者に対して付与することができ、金属シートであれば光沢感を消費者に対して付与することができる。また、食品に関する情報を感熱記録体に対して直接（ダイレクト）印字することができる。これらにより、消費者に対して独特の質感や風合いを与えることができるとともに、直接印字が可能な包装材を得ることができる。
【００１１】
（２）本考案の包装材において、好ましくは、前記材料の少なくとも一部が露出するように、前記材料と前記感熱記録体とが部分的に重なった状態で接合して形成されている。このように構成すれば、和紙や金属シートの露出した部分に質感や風合い（和紙調や光沢感）を残すことができるため、効果的に和紙や金属シートの質感や風合いを消費者に対して与えることができる。
【００１２】
（３）本考案の包装材において、好ましくは、前記感熱記録体は、感熱フィルムである。このように構成すれば、感熱フィルムと、和紙および金属シートのうち少なくとも一方の材料とが接合された包装材を形成することができる。
【００１３】
（４）本考案の包装材において、好ましくは、前記感熱フィルムは、透明である。このように構成すれば、容器本体に収容される被収容物に関する情報を感熱フィルムに印字した状態で、該感熱フィルムを被収容物の上面側に配置した場合に、透明な感熱フィルムを通して被収容物を容易に視認することができる。
【００１４】
（５）本考案の包装体において、好ましくは、請求項１〜４のいずれか１項に記載の包装材によって前記容器本体が包装されている。このように構成すれば、消費者に対して感熱記録体と接合される材料の独特の質感や風合いを付与することができるとともに直接印字が可能な包装材によって包装された包装体を得ることができる。
【００１５】
（６）本考案の包装体において、好ましくは、前記容器本体の開口を閉塞する蓋体をさらに備え、前記容器本体と前記蓋体とが前記包装材によって密封されている。このように構成すれば、容器本体と蓋体とが密着した状態で包装材によって包装された包装体を得ることができる。
【００１６】
（７）本考案の包装体において、好ましくは、前記材料が前記容器本体側に配置されるように、前記包装材によって前記容器本体が包装されている。このように構成すれば、和紙および金属シートのうち少なくとも一方の材料を容器本体に密着させた状態で包装された包装体を得ることができる。
【００１７】
（８）本考案の包装体において、好ましくは、前記感熱記録体が前記容器本体側に配置されるように、前記包装材によって前記容器本体が包装されている。このように構成すれば、被収容物に関する情報が印字された感熱記録体を容器本体に密着させた状態で包装された包装体を得ることができる。 
【考案の効果】
【００１８】
本考案に係る態様によれば、消費者に対して独特の質感や風合いを与えることができるとともに、直接印字が可能な包装材および包装体を提供することができる。 
【図面の簡単な説明】
【００１９】
【図１】第１および第２の実施形態に係る包装材により包装された包装体の全体斜視図である。
【図２】第１および第２の実施形態に係る包装材により包装された包装体の平面図である。
【図３】（ａ）は第１および第２の実施形態に係る包装材の表面図であり、（ｂ）は第１および第２の実施形態に係る包装材の裏面図である。
【図４】図３（ａ）の１００−１００線に沿った要部断面図である。
【図５】（ａ）は第１および第２の実施形態の変形例に係る包装材の表面図であり、（ｂ）は第１および第２の実施形態の変形例に係る包装材の裏面図である。
【図６】図５（ａ）の２００−２００線に沿った要部断面図である。
【考案を実施するための形態】
【００２０】
以下、本考案の実施形態を図面に基づいて詳細に説明する。 
【００２１】
（第１の実施形態）
本考案の第１の実施形態による包装材１は、図１および図２に示すように、上面が開口した容器本体２と、容器本体２の開口を閉塞する透明な蓋体３とを備えた蓋付食品容器４を包装して包装体を形成するものである。この蓋付食品容器４には、被収容物として、弁当、惣菜、麺類、その他各種の食品等が収容される。また、図２に示すように、蓋付食品容器４を構成する容器本体２および蓋体３は、それぞれ、平面視略正方形状である。
【００２２】
図３および図４に示すように、包装材１は、帯状の和紙５と、帯状で透明な感熱記録体としての感熱フィルム６とを、部分的に重ね合わせた状態で接合して形成されている。具体的には、包装材１は、和紙５の長手方向の一方端部５ａと感熱フィルム６の長手方向の一方端部６ａとを重ね合わせた状態で、幅方向に塗布された接着剤１１によって接合することにより長尺状に形成されている。
【００２３】
図１および図２に示すように、包装材１は、食品が収容された蓋付食品容器４の外周面を囲むように装着され、和紙５の他方端部５ｂおよび感熱フィルム６の他方端部６ｂは、それぞれ蓋付食品容器４の容器本体２に接着剤（図示せず）により貼り付けられている。
【００２４】
包装材１の和紙５は、図４に示すように、蓋付食品容器４の蓋体３の表面３ａに密着するように配置されている。和紙５と感熱フィルム６とは、これらの重なっている領域ＡおよびＢのうち、領域Ａにおいて接着剤１１により接着されており、領域Ｂにおいては接着されていない。すなわち、領域Ａにおいては接着されているため和紙調すなわち独特の質感や風合いが失われる可能性があるものの、領域Ｂにおいては接着されていないため和紙調が残された状態となっている。 
【００２５】
次に、感熱フィルム６の詳細な構成について説明する。
【００２６】
図３に示すように、感熱フィルム６には、容器本体２内に収容される食品の情報、たとえば、品名、原材料、内容量、製造年月日、賞味期限、価格、バーコード、加熱時間等が印字されている。また、図３（ａ）に示すように、容器本体２内に収容される食品の情報は、感熱フィルム６と和紙５とが重なっている領域に印字されていてもよいし、感熱フィルム６と和紙５とが重なっていない領域に印字されていてもよく、感熱フィルム６の任意の位置に印字することが可能である。
【００２７】
感熱フィルム６は、図４示すように、主に、フィルム状の基材７上に、加熱によって発色する感熱記録層８、中間層９、および、トップコート層１０が積層された構造となっている。
【００２８】
基材７としては、透明の合成樹脂フィルム、たとえば、ポリプロピレンフィルム、ポリエチレンテレフタレートフィルム、ポリスチレンフィルム、ポリカーボネートフィルム等を用いることができる。かかるフィルムの厚さは特に限定されないが、たとえば、１０μｍ〜１００μｍ程度が塗工性および透明性に優れ、好ましい。
【００２９】
感熱記録層８を形成する材料としては、加熱により発色する発色剤、顕色剤、充填剤、
結着剤、増感剤、および、滑剤等を含む。
【００３０】
感熱記録層８の透明性を向上させるために、各材料は、粒子径の細かいものを使用するのが好ましい。このように粒子径の細かい材料とすることによって、粒子の乱反射を抑制することができる。
【００３１】
具体的には、発色剤であるロイコ染料としては、たとえば、３−（Ｎ−イソブチル−Ｎ−エチル）アミノ−６−メチル−７−アニリノフルオラン、３−（Ｎ−イソペンチル−Ｎ−エチル）アミノ−６−メチル−７−ｏ−クロロアニリノフルオラン、３−（Ｎ−エチル−Ｎ−ｐ−トルイジノ）−６−メチル−７−アニリノフルオラン、３−（Ｎ−エチル−Ｎ−イソペンチル）アミノ−６−メチル−７−アニリノフルオラン、３−（Ｎ−エトキシプロピル−Ｎ−エチル）アミノ−６−メチル−７−アニリノフルオラン、３−（Ｎ−シクロヘキシル−Ｎ−メチル）アミノ−６−メチル−７−アニリノフルオラン、３−（Ｎ−メチル−Ｎ−ｎ−プロピル）アミノ−６−メチル−７−アニリノフルオラン、３−ジブチルアミノ−６−メチル−７−アニリノフルオラン、３−ジエチルアミノ−６−メチル−７−ｐ−トルイジノフルオラン、３−ジエチルアミノ−６−メチル−７−アニリノフルオラン、３−ジエチルアミノ−６−メチル−８−メチルフルオラン、３−ジエチルアミノ−７−（ｍ−トリフルオロメチルアニリノ）フルオラン、３−ジエチルアミノ−７−（ｏ−クロロアニリノ）フルオラン、３−ジエチルアミノ−７−クロロフルオラン、３−ジブチルアミノ−６−メチル−７−ブロモフルオラン、３−ジブチルアミノ−７−（ｏ−クロロアニリノ）フルオラン、３−ジペンチルアミノ−６−メチル−７−アニリノフルオラン、３−ジメチルアミノ−５−メチル−７−メチルフルオラン、３−ピロリジノ−６−メチル−７−アニリノフルオラン、クリスタルバイオレットラクトン等を用いることができる。
【００３２】
上記した発色剤の粒子径は、０．１μｍ〜１．０μｍであるのが好ましい。ここで、粒子径とは、マイクロトラックレーザー解析・散乱式粒度分析機による測定５０％平均粒子径をいう。以下、「粒子径」とは、このマイクロトラックレーザー解析・散乱式粒度分析機による測定５０％平均粒子径をいう。
【００３３】
上記の顕色剤としては、たとえば、１，１−ビス（ｐ−ヒドロキシフェニル）シクロヘキサン、１，１−ビス（ｐ−ヒドロキシフェニル）プロパン、２，２−ビス（ｐ−ヒドロキシフェニル）プロパン、２，２−ビス（ｐ−ヒドロキシフェニル）ブタン、１，１−ビス（４−ヒドロキシフェニル）−１−フェニルエタン、２，２’−メチレンビス（４−クロロフェノール）、２，２−ビス（４−ヒドロキシフェニル）−４−メチルペンタン、２，４'−ジヒドロキシジフェニルスルホン、４，４’−ジヒドロキシジフェニルスルホン、４−ヒドロキシ−４'−ｎ−プロポキシジフェニルスルホン、４−ヒドロキシ−４'−イソプロポキシジフェニルスルホン、４−ヒドロキシ−４'−メチルジフェニルスルホン、４−ヒドロキシフェニル−４'−ベンジルオキシフェニルスルホン、４−ヒドロキシ−４′−アリルオキシジフェニルスルホン、ビス（３−アリル−４−ヒドロキシフェニル）スルホン、ポリ（４−ヒドロキシ安息香酸）、４−ヒドロキシ安息香酸ベンジル、２，４−ビス（フェニルスルホニル）フェノール、α−｛４−［（４−ヒドロキシフェニル）スルホニル］フェニル｝−ω−ヒドロキシポリ（重合度ｎ＝１〜７）（オキシエチレンオキシエチレンオキシ−ｐ−フェニレンスルホニル−ｐ−フェニレン）２,２−ビス［（４−メチル−３−フェノキシカルボニルアミノフェニル）ウレア］ジフェニルスルホン、３,５−ビス（α−メチルベンジル）サリチル酸、ビス［４−（ｎ−オクチルオキシカルボニルアミノ）サリチル酸亜鉛］、４，４’−ビス（ｐ−トリルスルホニルアミノカルボニルアミノ）ジフェニルメタン、４−ヒドロキシベンゼンスルホンアニリド、２’−（３−フェニルウレイド）ベンゼンスルホンアニリド、Ｎ−（２−ヒドロキシフェニル)−２−［（４−ヒドロキシフェニル)チオ］アセトアミド、Ｎ−（４−ヒドロキシフェニル)−２−［（４−ヒドロキシフェニル）チオ］アセトアミド、４−［［４−［４−［４−［［４−（１−メチルエトキシ）フェニル］スルホニルフェノキシ］ブトキシ］フェニル］スルホニル］フェノール、４−ｔｅｒｔ−ブチルフェノール・ホルムアルデヒド重縮合物、Ｎ−（ｐ−トルエンスルホニル）Ｎ'−（３−ｐ−トルエンスルホニルオキシフェニル）ウレア、１−フェニル−３−（４−メチルフェニルスルホニル）ウレア等を用いることができ、それらの粒子径は、０．１μｍ以上１．０μｍ以下であるのが好ましい。
【００３４】
上記の充填剤としては、たとえば、水酸化アルミニウム、水酸化マグネシウム、酸化アルミニウム、酸化マグネシウム、ケイ酸アルミニウム、炭酸カルシウム、炭酸マグネシウム、酸化チタン、硫酸バリウム、シリカゲル、活性白土、タルク、クレー、カオリン、焼成カオリン、ケイソウ土、ホワイトカーボン、酸化亜鉛、酸化珪素、コロイダルシリカ、ポリスチレン樹脂粒子、尿素−ホルマリン樹脂粒子、ポリオレフィン樹脂粒子等を用いることができ、それらの粒子径は、１．０μｍ以下であるのが好ましい。
【００３５】
上記の結着剤としては、たとえば、ポリビニルアルコール、変性ポリビニルアルコール、デンプン、カゼイン、ゼラチン、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体、メチルビニル−無水マレイン酸共重合体、イソプロピレン−無水マレイン酸共重合体、スチレン−ブタジエン共重合体、ポリ塩化ビニル、ポリ塩化ビニリデン、塩化ビニル−酢酸ビニル共重合体、ポリウレタン、ポリスチレン、ポリビニルピロリドン、アクリル酸エステル、アクリルニトリル、メチルビニルエーテル等を用いることができる。
【００３６】
上記の増感剤としては、たとえば、ステアリン酸、ステアリン酸アミド、ステアリン酸アニリド、メチロールステアリン酸アミド、メチレンビスステアリン酸アミド、エチレンビスステアリン酸アミド、１−ベンジルオキシナフタレン、２−ベンジルオキシナフタレン、２，６−ジイソプロピルナフタレン、１，２−ジフェノキシエタン、１，２−ジフェノキシメチルベンゼン、１，２−ビス（３，４−ジメチルフェノル）エタン、１，２−ビス（３−メチルフェノキシ）エタン、１，２−ビス（４−メチルフェノキシ）エタン、シュウ酸ジ（ｐ−クロロベンジル）、シュウ酸ジ（ｐ−メチルベンジル）、シュウ酸ジベンジル、ｐ−ベンジルビフェニル、ｍ−ターフェニル、ジフェニルスルホン、ｐ−ベンジルオキシ安息香酸ベンジル、テレフタル酸ジベンジル、ｐ−トルエンスルホンアミド等を用いることができる。
【００３７】
上記の滑剤としては、たとえば、パラフィンワックス、オレイン酸等の脂肪酸類、ポリエチレンワックス等のポリオレフィンワックス類、ステアリン酸亜鉛等の金属石鹸類、カルナバワックス等のエステルワックス類、シリコンオイル、鯨油等の油類を用いることができ、それらの粒子径は、０．５μｍ以下であるのが好ましい。
【００３８】
透明性を向上させるためには、パラフィンを含有させるのが特に有効であり、このパラフィンは、感熱記録層８の発色温度未満、好ましくは８０℃未満、より好ましくは、５０℃未満の低融点のパラフィンであるのが好ましい。
【００３９】
この低融点のパラフィンの粒子径は、上記のように０．５μｍ以下であるのが好ましい。このパラフィンの含有量は、乾燥重量で、たとえば、０．１ｇ／ｍ２〜１．０ｇ／ｍ２であるのが好ましい。
【００４０】
このように低融点のパラフィンを含有させることによって、感熱記録層形成用の塗液を、基材７上に塗布し、乾燥する際に、パラフィンが溶融し、感熱記録層８を構成する粒子の表面の凹凸等の隙間に入り込んで、隙間を埋めることになる。これによって、粒子表面の乱反射を抑制して透明性を向上させることができる。
【００４１】
中間層９は、水や油に対するバリアー性を有しており、主に、樹脂によって形成されている。この中間層９の樹脂としては、たとえば、アクリル樹脂のエマルション、ポリビニルアルコール（ＰＶＡ）樹脂等の水溶性樹脂、ＳＢＲ樹脂等が挙げられる。
【００４２】
透明性を向上させるためには、前記樹脂は、水溶性部分を有する樹脂、たとえば、親水性構造単位としてヒドロキシ基を有する樹脂であるポリビニルアルコール（ＰＶＡ）樹脂、あるいは、疎水性のコア粒子を、水溶性のシェルポリマーでコーティングしたコア−シェル構造の樹脂、たとえば、コア−シェル型アクリル樹脂等が好ましい。
【００４３】
水溶性のポリビニルアルコール（ＰＶＡ）やコア−シェル型のアクリル樹脂は、成膜性が良好であり、感熱記録層８上に、中間層形成用の塗液を塗布して乾燥する際に、水溶性部分を有する樹脂が、感熱記録層８へ染み込んで平滑な中間層９が形成されるので、感熱記録層８での乱反射が抑制されて透明性が向上する。
【００４４】
コア−シェル型の樹脂は、従来公知であり、たとえば、コア−シェル型アクリル樹脂として、バリアスター（三井化学社製）の名称で市販されているもの等を挙げることができる。
【００４５】
トップコート層１０は、サーマルヘッドに対する感熱フィルム６のマッチング性を向上させて、感熱記録層８の発色が順調に行われるようにするものであり、このトップコート層１０は、結着剤中に充填剤、滑剤、架橋剤等を添加したものが用いられる。
【００４６】
結着剤である樹脂としては、たとえば、アクリル樹脂等が挙げられる。
【００４７】
滑剤としては、たとえば、ポリエチレン、ステアリン酸亜鉛等が挙げられる。
【００４８】
架橋剤としては、たとえば、炭酸ジルコニウム等が挙げられる。
【００４９】
充填剤としては、コロイダルシリカ、炭酸カルシウム、ポリメチルメタクリレート（ＰＭＭＡ）、ポリスチレン（ＰＳ）等が挙げられる。これら充填剤の粒子径は、１．０μｍ以下であるのが好ましい。透明性を向上させるためには、充填剤として、粒子径の小さいコロイダルシリカが好ましい。
【００５０】
以上のような材料によって形成される感熱記録層８、中間層９、および、トップコート層１０の厚み、すなわち、基材７を除いた感熱フィルム６の厚みは、特に限定されないが、１．０μｍ以上の厚みにおいて、当該感熱フィルム６の不透明度が、１０％以下である。この不透明度は、紙の不透明度の測定規格であるＪＩＳＰ８１４９に基づくものである。 
【００５１】
次に、蓋付食品容器４を包装材１により包装する手順について説明する。
【００５２】
たとえば、フランチャイズチェーンを統括する本部の食品工場では、蓋付食品容器４の容器本体２に、主食および副食、惣菜、あるいは、麺類等を詰めて開口部に蓋体３を被せて弁当や惣菜等の食品を製造する。
【００５３】
食品が詰められた蓋付食品容器４を包装するために、食品工場では、包装材１の感熱フィルム６に、製造する食品の情報として、品名、原材料、製造年月日、賞味期限、価格等を印字する。この包装材１は、長尺の和紙原材と、長尺の感熱フィルム原材とを重ね合わせて一方端部を接合して長尺状に形成した後に、製造する食品の情報を印字し、所定長さで切断することによって得られる。なお、包装材１の感熱フィルム６には、当該包装材１が食品工場に提供される前に、当該フランチャイズチェーンを示すロゴマーク等を印刷しておいてもよい。
【００５４】
更に、図１および図２に示すように、食品の情報が印字された長尺状の包装材１の感熱フィルム６が蓋付食品容器４の上面に対向し、和紙５が蓋体３の傾斜部分に対向するように装着し、接着剤を塗布することにより包装材１が蓋付食品容器４に対して固定される。 
【００５５】
上記説明した第１の実施形態によれば、以下の効果を得ることができる。
【００５６】
（１）第１の実施形態による包装材１は、被収容物としての食品を収容する容器本体２を包装するための包装材であり、加熱により発色可能な感熱フィルム６と、和紙５とを備え、感熱フィルム６と和紙５とを部分的に重なった状態で接合して形成した。これにより、感熱フィルム６と和紙５とが重なっていない部分に、和紙５の素材そのものの独特の質感や風合い（和紙調）を残すことができるため、この和紙調を消費者に対して付与することができる。また、食品に関する情報を感熱フィルム６に対して直接（ダイレクト）印字することができる。これらにより、消費者に対して独特の質感や風合いを与えることができるとともに、直接印字が可能な包装材１を得ることができる。
【００５７】
（２）第１の実施形態による包装材１では、和紙５の一部が露出するように、和紙５と感熱フィルム６とを部分的に重なった状態で接合して形成した。これにより、和紙５の露出した部分に質感や風合い（和紙調）を残すことができるため、効果的に和紙５の質感や風合い（和紙調）を消費者に対して与えることができる。
【００５８】
（３）第１の実施形態による包装材１では、感熱記録体として感熱フィルム６を適用した。これにより、感熱フィルム６と和紙５とが接合された包装材１を形成することができる。
【００５９】
（４）第１の実施形態による包装材１では、感熱記録体として透明の感熱フィルム６を適用した。これにより、容器本体２に収容される食品に関する情報を感熱フィルム６に印字した状態で、該感熱フィルム６を食品の上面側に配置した場合に、透明な感熱フィルム６を通して食品を容易に視認することができる。
【００６０】
（５）第１の実施形態による包装体では、和紙５および感熱フィルム６により形成された包装材１によって容器本体２を包装した。これにより、消費者に対して感熱フィルム６と接合される和紙５の独特の質感や風合いを付与することができるとともに、直接印字が可能な包装材１によって包装された包装体を得ることができる。
【００６１】
（６）第１の実施形態による包装体では、容器本体２の開口を閉塞する蓋体３をさらに備え、容器本体２と蓋体３とにより構成される蓋付食品容器４を包装材１によって密封した。これにより、蓋付食品容器４を構成する容器本体２と蓋体３とが密着した状態で包装材１によって包装された包装体を得ることができる。
【００６２】
（７）第１の実施形態による包装体では、包装材１を構成する和紙５が蓋付食品容器４の蓋体３の表面３ａに配置されるように、包装材１によって容器本体２を包装した。これにより、和紙５を容器本体２に密着させた状態で包装された包装体を得ることができる。 
【００６３】
（第２の実施形態）
次に、図１〜図４を参照して、本考案の第２の実施形態による包装材１０１について説明する。この包装材１０１は、上記第１の実施形態で説明した包装材１とは異なり、和紙５に代えて金属シート５０を用いることが可能である。
【００６４】
図３および図４に示すように、包装材１０１は、帯状の金属シート５０と、帯状で透明な感熱記録体としての感熱フィルム６とを、部分的に重ね合わせた状態で接合して形成されている。また、包装材１０１は、金属シート５０の長手方向の一方端部５０ａと感熱フィルム６の長手方向の一方端部６ａとを重ね合わせた状態で、幅方向に塗布された接着剤１１によって接合することにより長尺状に形成されている。なお、包装材１０１に適用される金属シート５０の材料としては、主にアルミ箔が用いられるが、他の金属でも良い。また、金属シート５０の色は、主に銀色や金色であるが、赤色、青色、黄色などの他の色でも良い。
【００６５】
図１および図２に示すように、包装材１０１は、食品が収容された蓋付食品容器４の外周面を囲むように装着され、金属シート５０の他方端部５０ｂおよび感熱フィルム６の他方端部６ｂは、それぞれ蓋付食品容器４の容器本体２に接着剤（図示せず）により貼り付けられている。なお、金属シート５０の他方端部５０ｂと感熱フィルム６の他方端部６ｂとを接着剤により接合させて、環状の包装材１０１を形成してもよい。
【００６６】
包装材１０１の金属シート５０は、図４に示すように、蓋付食品容器４の蓋体３の表面３ａに密着するように配置されている。金属シート５０と感熱フィルム６とは、これらの重なっている領域ＡおよびＢのうち、領域Ａにおいて接着剤１１により接着されており、領域Ｂにおいては接着されていない。すなわち、領域Ａにおいては接着により金属シート５０の質感等が失われる可能性があるものの、領域Ｂにおいては接着されていないため質感等が残された状態となっている。 
【００６７】
上記説明した第２の実施形態によれば、以下の効果を得ることができる。
【００６８】
（８）第２の実施形態による包装材１０１は、被収容物としての食品を収容する容器本体を包装するための包装材であり、加熱により発色可能な感熱フィルム６と、金属シート５０とを備え、感熱フィルム６と金属シート５０とを部分的に重なった状態で接合して形成した。これにより、感熱フィルム６と金属シート５０とが重なっていない部分に、金属シート５０の素材そのものの独特の質感や風合い（光沢感）を残すことができるため、金属シート５０の独特の質感等を消費者に対して付与することができる。また、食品に関する情報を感熱フィルム６に対して直接（ダイレクト）印字することができる。これらにより、消費者に対して金属シート５０の質感等を与えることができるとともに、直接印字が可能な包装材１０１を得ることができる。
【００６９】
（９）第２の実施形態による包装材１０１では、金属シート５０の一部が露出するように、金属シート５０と感熱フィルム６とを部分的に重なった状態で接合して形成した。これにより、金属シート５０の露出した部分に質感を残すことができるため、効果的に金属シート５０の質感等を消費者に対して与えることができる。
【００７０】
（１０）第２の実施形態による包装材１０１では、感熱記録体として感熱フィルム６を適用した。これにより、感熱フィルム６と金属シート５０とが接合された包装材を形成することができる。
【００７１】
（１１）第２の実施形態による包装材１０１では、感熱記録体として透明の感熱フィルム６を適用した。これにより、容器本体２に収容される食品に関する情報を感熱フィルム６に印字した状態で、該感熱フィルム６を食品の上面側に配置した場合に、透明な感熱フィルム６を通して食品を容易に視認することができる。
【００７２】
（１２）第２の実施形態による包装体では、金属シート５０および感熱フィルム６により形成された包装材によって容器本体２を包装した。これにより、消費者に対して感熱フィルム６と接合される金属シート５０の質感等を付与することができるとともに、直接印字が可能な包装材によって包装された包装体を得ることができる。
【００７３】
（１３）第２の実施形態による包装体では、容器本体２の開口を閉塞する蓋体３をさらに備え、容器本体２と蓋体３とにより構成される蓋付食品容器４を包装材１０１によって密封した。これにより、蓋付食品容器４を構成する容器本体２と蓋体３とが密着した状態で包装材１０１によって包装された包装体を得ることができる。
【００７４】
（１４）第２の実施形態による包装体では、包装材１０１を構成する金属シート５０が蓋付食品容器４の蓋体３の表面３ａに配置されるように、包装材１０１によって容器本体２を包装した。これにより、金属シート５０を容器本体２に密着させた状態で包装された包装体を得ることができる。 
【００７５】
上記第１および第２の実施形態は、以下のように変更した構成とすることもできる。
【００７６】
・上記第１および第２の実施形態では、包装材１または包装材１０１を蓋付食品容器４の外周面を囲むように装着し、和紙５の他方端部５ｂまたは金属シート５０の他方端部５０ｂと、感熱フィルム６の他方端部６ｂとをそれぞれ蓋付食品容器４の容器本体２に対して接着剤を用いて貼り付ける例を示したが、本考案はこれに限られない。たとえば、和紙５の他方端部５ｂまたは金属シート５０の他方端部５０ｂと、感熱フィルム６の他方端部６ｂとを接着剤により接合させて、環状の包装材を形成してもよい。この場合、感熱フィルム６の一部または全部を熱収縮性を有する材料により形成し、環状の包装材を蓋付食品容器４の外周面を囲むように装着した後に、熱収縮させることにより包装材を蓋付食品容器４に対して密着させるとよい。
【００７７】
・上記第１および第２の実施形態による包装材１または包装材１０１では、和紙５または金属シート５０を蓋付食品容器４の蓋体３の表面３ａに密着するように配置する例を示したが、本考案はこれに限られない。たとえば、図５および図６に示す第１および第２の実施形態の変形例のように、包装材１０２を構成する感熱フィルム６が蓋付食品容器４の蓋体３の表面３ａに密着するように配置されるように、これらを接着剤１１により固定してもよい。これにより、食品に関する情報が印字された感熱フィルム６を蓋体３の表面３ａに密着させた状態で包装された包装体を得ることができる。この場合、感熱フィルム６に商品に関する情報を印字するとともに、和紙５または金属シート５０にインクジェット印刷により商品に関する情報を印刷することも可能である。
【００７８】
・上記第１および第２の実施形態では、一枚の和紙５または金属シート５０と、一枚の感熱フィルム６とを接合して長尺状に形成する例を示したが、本考案はこれに限られない。たとえば、和紙５または金属シート５０、および、感熱フィルム６の枚数は、各１枚に限らず、複数枚としてもよい。この場合、複数枚の和紙５または金属シート５０を連続するように接合し、この連続した複数枚の和紙５または金属シート５０の端部と、１枚の感熱フィルム６の端部とを接合して長尺状にしてもよいし、複数枚の和紙５または金属シート５０と、複数枚の感熱フィルム６とを連続するように接合して長尺状としてもよい。
【００７９】
・上記第１および第２の実施形態では、感熱フィルム６に対して食品情報を印字する例を示したが、本考案はこれに限られない。たとえば、感熱フィルム６に対して販売を促進するための広告メッセージ等やロゴマーク等を印字してもよい、
【００８０】
・上記第１および第２の実施形態では、容器本体２および蓋体３がそれぞれ平面視において正方形状である例を示したが、本考案はこれに限られない。たとえば、容器本体２および蓋体３の形状は、矩形状、多角形状、または、楕円形状等の任意の形状とすることも可能である。
【００８１】
・上記第１および第２の実施形態では、和紙５または金属シート５０の長さを、感熱フィルム６の長さよりも短くしている例を示したが、本考案はこれに限られない。たとえば、和紙５または金属シート５０の長さを、感熱フィルム６の長さよりも長くしてもよいし、同じ長さにしてもよい。また、和紙５または金属シート５０の幅と、感熱フィルム６の幅を同一にしている例を示したが、一方の幅を他方の幅よりも広く（または狭く）してもよい。すなわち、和紙５または金属シート５０、および、感熱フィルム６は、蓋付食品容器４に装着することが可能な長さおよび幅であれば適宜変更可能である。
【００８２】
・上記第１および第２の実施形態では、容器本体と蓋体との両方を包装材により包装する例を示したが、本考案はこれに限られない。たとえば、容器本体に食品を収容して、蓋体が無い状態で包装材により包装してもよい。
【００８３】
・上記第１および第２の実施形態では、感熱記録体の一例として、透明フィルムを基材として用いた感熱フィルムについて説明したが、本考案はこれに限られない。たとえば、基材としては、フィルムに限らず、紙、不織布、金属箔、または、これらを組み合わせた複合シート等も適用可能である。 
【符号の説明】
【００８４】
１、１０１、１０２  ・・・包装材
２          ・・・容器本体
３          ・・・蓋体
３ａ        ・・・表面
４          ・・・蓋付食品容器
５          ・・・和紙（材料）
５ａ        ・・・一方端部
５ｂ        ・・・他方端部
６          ・・・感熱フィルム（感熱記録体）
６ａ        ・・・一方端部
６ｂ        ・・・他方端部
１１        ・・・接着剤
５０        ・・・金属シート（材料）
５０ａ      ・・・一方端部
５０ｂ      ・・・他方端部
【図１】
0003224255.tif 000003
【図２】
0003224255.tif 000004
【図３】
0003224255.tif 000005
【図４】
0003224255.tif 000006
【図５】
0003224255.tif 000007
【図６】
0003224255.tif 000008